(57)【要約】【課題】大型化を抑制することができるドラムユニットを提供すること。【解決手段】  互いに間隔を隔てて配置される複数の感光ドラム１１と、複数の感光ドラム１１のそれぞれのフランジ部材４２を回転可能に支持する内側板３１とを備えるドラムユニット９において、複数の感光ドラム１１のそれぞれのドラム本体４１に付着した付着物を除去する複数のクリーニングブレード８２と、複数のクリーニングブレード８２のそれぞれが除去した付着物を右方に搬送する複数の第１スクリュー８３と、右方の内側板３１とドラム本体４１の右端縁との間に配置され、複数の第１スクリュー８３のそれぞれが搬送した付着物を前後方向に搬送する第２スクリュー５７とを設ける。【選択図】図６
2015194650.tif 000002
【特許請求の範囲】
【請求項１】
現像剤像を担持するように構成されるドラム本体と、前記ドラム本体の軸線方向端部から前記軸線方向に向かって延びる被支持部とを有し、互いに間隔を隔てて配置される複数の感光ドラムと、
前記軸線方向において前記複数の感光ドラムのそれぞれの前記ドラム本体と間隔を隔てて配置され、前記複数の感光ドラムのそれぞれの前記被支持部を回転可能に支持する側板と、
前記複数の感光ドラムのそれぞれの前記ドラム本体に付着した付着物を除去するように構成される複数のクリーニング部材と、
前記複数のクリーニング部材のそれぞれが除去した付着物を前記軸線方向に搬送するように構成される複数の第１搬送部材と、
前記軸線方向において前記側板と前記ドラム本体の前記軸線方向における端縁との間に配置され、前記複数の第１搬送部材のそれぞれが搬送した付着物を前記複数の感光ドラムのそれぞれの並列方向に搬送するように構成される第２搬送部材と
を備えることを特徴とする、ドラムユニット。
【請求項２】
前記第２搬送部材の少なくとも一部は、前記軸線方向に投影したときに、前記ドラム本体と重なることを特徴とする、請求項１に記載のドラムユニット。
【請求項３】
前記被支持部は、
前記ドラム本体の軸線方向端部に接続される第１部分と、
前記第１部分よりも小径であり、前記側板に支持される第２部分と
を有し、
前記第２搬送部材は、前記軸線方向および前記並列方向の両方と直交する直交方向に投影したときに、前記第２部分と重なることを特徴とする、請求項１または２に記載のドラムユニット。
【請求項４】
駆動力を受けるように構成される駆動受け部であって、前記側板に対して前記ドラム本体の反対側において前記第２部分に接続され、前記第２部分よりも大径である駆動受け部をさらに備えることを特徴とする、請求項３に記載のドラムユニット。
【請求項５】
前記駆動受け部は、前記第２部分に対して分離可能に接続されることを特徴とする、請求項４に記載のドラムユニット。
【請求項６】
前記第２搬送部材は、前記軸線方向および前記並列方向の両方と直交する直交方向において、前記側板の端縁よりも内方に配置されていることを特徴とする、請求項１〜５のいずれか一項に記載のドラムユニット。
【請求項７】
前記側板は、
前記第２搬送部材は、前記複数の第１搬送部材のそれぞれが連結される複数の連結部を有し、
前記複数の連結部のうちの１つの連結部は、前記軸線方向および前記並列方向の両方と直交する直交方向と前記並列方向とにおいて、前記複数の第１搬送部材のそれぞれに対する前記第２搬送部材の移動を規制し、
前記複数の連結部のうちの前記１つの連結部以外の連結部は、前記並列方向において、前記複数の第１搬送部材のそれぞれに対する前記第２搬送部材の移動を許容し、前記直交方向において、前記複数の第１搬送部材のそれぞれに対する前記第２搬送部材の移動を規制することを特徴とする、請求項１〜６のいずれか一項に記載のドラムユニット。
【請求項８】
前記１つの連結部は、前記並列方向において前記複数の連結部のうちの最も外方に配置されていることを特徴とする、請求項７に記載のドラムユニット。
【請求項９】
前記複数の第１搬送部材のそれぞれの前記軸線方向端部は、前記複数の連結部のそれぞれの内部に配置されていることを特徴とする、請求項７または８に記載のドラムユニット。
【請求項１０】
前記複数の第１搬送部材のそれぞれを支持し、前記側板に固定される複数の支持部材と、前記支持部材と前記連結部との間をシールするシール部材とをさらに備え、
前記シール部材は、前記並列方向に延び、前記第１搬送部材が挿通される挿通穴を有することを特徴とする、請求項９に記載のドラムユニット。
【請求項１１】
前記複数の感光ドラムのそれぞれの前記被支持部は、第１ギアを備え、
前記複数の第１搬送部材のそれぞれは、前記第１ギアと噛み合う第２ギアを備えることを特徴とする、請求項１〜１０のいずれか一項に記載のドラムユニット。
【請求項１２】
前記複数のクリーニング部材のそれぞれが付着物を除去する前に、前記複数の感光ドラムのそれぞれの電荷を低減するように構成される複数の除電部材をさらに備え、
前記複数の除電部材のそれぞれは、前記並列方向における中心を通る中心軸線を備え、
前記複数の第１搬送部材のそれぞれの回転軸線は、前記並列方向において、対応する前記複数の除電部材の前記中心軸線のそれぞれよりも、対応する前記複数の感光ドラムのそれぞれの反対側に配置されていることを特徴とする、請求項１〜１１のいずれか一項に記載のドラムユニット。
【請求項１３】
前記複数の除電部材のそれぞれの前記軸線方向端部は、前記軸線方向および前記並列方向の両方と直交する直交方向に投影したときに、前記第２搬送部材に重なることを特徴とする、請求項１〜１２のいずれか一項に記載のドラムユニット。
【発明の詳細な説明】
【技術分野】
【０００１】
本発明は、電子写真方式が採用される画像形成装置に装着されるドラムユニットに関する。
【背景技術】
【０００２】
電子写真方式の画像形成装置として、イエロー、マゼンタ、シアンおよびブラックの各色に対応する複数の像担持体を備える、いわゆるタンデム型のカラープリンタが知られている。
【０００３】
このようなカラープリンタとして、感光ドラムを支持する複数のプロセスカートリッジと、各プロセスカートリッジを支持するフレームと、各プロセスカートリッジからの廃トナーを廃トナー収容箱へ搬送する感光体廃トナー搬送管とを備える画像形成装置が提案されている（例えば、下記特許文献１参照）。
【先行技術文献】
【特許文献】
【０００４】
【特許文献１】特開２０１０−８４７２号公報
【発明の概要】
【発明が解決しようとする課題】
【０００５】
上記した特許文献１に記載の画像形成装置では、感光体廃トナー搬送管は、感光ドラムを支持するプロセスカートリッジの外側において、フレームに支持されている。
【０００６】
そのため、フレーム内に、プロセスカートリッジを支持するスペースとは別に、感光体廃トナー搬送管を配置するスペースを設ける必要があり、像形成ユニットの大型化を抑制することが困難である。
【０００７】
そこで、本発明の目的は、大型化を抑制することができるドラムユニットを提供することにある。
【課題を解決するための手段】
【０００８】
（１）本発明のドラムユニットは、現像剤像を担持するように構成されるドラム本体と、ドラム本体の軸線方向端部から軸線方向に向かって延びる被支持部とを有し、互いに間隔を隔てて配置される複数の感光ドラムと、軸線方向において複数の感光ドラムのそれぞれのドラム本体と間隔を隔てて配置され、複数の感光ドラムのそれぞれの被支持部を回転可能に支持する側板と、複数の感光ドラムのそれぞれのドラム本体に付着した付着物を除去するように構成される複数のクリーニング部材と、複数のクリーニング部材のそれぞれが除去した付着物を軸線方向に搬送するように構成される複数の第１搬送部材と、軸線方向において側板とドラム本体の軸線方向における端縁との間に配置され、複数の第１搬送部材のそれぞれが搬送した付着物を複数の感光ドラムのそれぞれの並列方向に搬送するように構成される第２搬送部材とを備える。
【０００９】
このような構成によれば、側板と、ドラム本体の軸線方向端縁との間のスペースを利用して第２搬送部材を配置することができる。
【００１０】
そのため、感光ドラムを支持する側板の軸線方向外方に第２搬送部材を配置するためのスペースを設ける必要がなく、第２搬送部材を効率よく配置することができる。
【００１１】
その結果、ドラムユニットの大型化を抑制できる。
（２）第２搬送部材の少なくとも一部は、軸線方向に投影したときに、ドラム本体と重なってもよい。
【００１２】
このような構成によれば、側板と、ドラム本体の軸線方向端縁との間のスペースをより効率よく利用して、第２搬送部材を配置することができる。
【００１３】
その結果、ドラムユニットの大型化をより抑制できる。
（３）被支持部は、ドラム本体の軸線方向端部に接続される第１部分と、第１部分よりも小径であり、側板に支持される第２部分とを有してもよい。第２搬送部材は、軸線方向および並列方向の両方と直交する直交方向に投影したときに、第２部分と重なってもよい。
【００１４】
このような構成によれば、被支持部は、ドラム本体に接続される第１部分よりも小径な第２部分を有している。
【００１５】
そのため、第２部分と直交方向に重なる領域において、第１部分と直交方向に重なる領域よりも、直交方向に大きなスペースを確保でき、そのスペースに第２搬送部材が配置されている。
【００１６】
その結果、第２搬送部材を効率よく配置することができる。
（４）駆動力を受けるように構成される駆動受け部であって、側板に対してドラム本体の反対側において第２部分に接続され、第２部分よりも大径である駆動受け部をさらに備えてもよい。
【００１７】
このような構成によれば、側板に支持される第２部分を小型化することができながら、駆動受け部の大きさを確保できる。
【００１８】
その結果、側板に対して感光ドラムをコンパクトに支持することができながら、駆動受け部で駆動力を確実に受けることができる。
（５）駆動受け部は、第２部分に対して分離可能に接続されてもよい。
【００１９】
このような構成によれば、駆動受け部を軸部から分離させて、感光ドラムを側板に対して円滑に着脱することができる。
（６）第２搬送部材は、軸線方向および並列方向の両方と直交する直交方向において、側板の端縁よりも内方に配置されていてもよい。
【００２０】
このような構成によれば、直交方向において、第２搬送部材を側板の端縁よりも内方にコンパクトに配置することができる。
（７）第２搬送部材は、複数の第１搬送部材のそれぞれが連結される複数の連結部を有してもよい。複数の連結部のうちの１つの連結部は、軸線方向および並列方向の両方と直交する直交方向と並列方向とにおいて、複数の第１搬送部材のそれぞれに対する第２搬送部材の移動を規制してもよい。複数の連結部のうちの１つの連結部以外の連結部は、並列方向において、複数の第１搬送部材のそれぞれに対する第２搬送部材の移動を許容し、直交方向において、複数の第１搬送部材のそれぞれに対する第２搬送部材の移動を規制してもよい。
【００２１】
このような構成によれば、複数の連結部のうちの１つの連結部によって、第２搬送部材を、複数の第１搬送部材のそれぞれに対して並列方向および直交方向に位置決めできる。
【００２２】
また、複数の連結部のうちの１つの連結部以外の連結部において、複数の第１搬送部材のそれぞれの並列方向間隔に対する複数の連結部のそれぞれの並列方向間隔の寸法公差を許容できる。
（８）１つの連結部は、並列方向において複数の連結部のうちの最も外方に配置されている。
【００２３】
このような構成によれば、並列方向のいずれか一方において、複数の第１搬送部材のそれぞれに対して、第２搬送部材を確実に位置決めできる。
（９）複数の第１搬送部材のそれぞれの軸線方向端部は、複数の連結部のそれぞれの内部に配置されていてもよい。
【００２４】
このような構成によれば、クリーニング部材が除去した付着物を、連結部内に確実に搬送することができる。
（１０）複数の第１搬送部材のそれぞれを支持し、側板に固定される複数の支持部材と、支持部材と連結部との間をシールするシール部材とをさらに備えてもよい。シール部材は、並列方向に延び、第１搬送部材が挿通される挿通穴を有してもよい。
【００２５】
このような構成によれば、シール部材により、支持部材と連結部との間から搬送途中の付着物が漏れることを防止できる。
（１１）複数の感光ドラムのそれぞれの被支持部は、第１ギアを備えてもよい。複数の第１搬送部材のそれぞれは、第１ギアと噛み合う第２ギアを備えてもよい。
【００２６】
このような構成によれば、簡易な構成で、感光ドラムに入力された駆動力を利用して第１搬送部材を駆動させることができる。
（１２）複数のクリーニング部材のそれぞれが付着物を除去する前に、複数の感光ドラムのそれぞれの電荷を低減するように構成される複数の除電部材をさらに備えてもよい。複数の除電部材のそれぞれは、並列方向における中心を通る中心軸線を有してもよい。複数の第１搬送部材のそれぞれの回転軸線は、並列方向において、対応する複数の除電部材の中心軸線のそれぞれよりも、対応する複数の感光ドラムのそれぞれの反対側に配置されていてもよい。
【００２７】
このような構成によれば、第１搬送部材を、並列方向において、対応する除電部材に対して、対応する感光ドラムから離れる方向にずらして配置することができる。
【００２８】
そのため、対応する感光ドラムから離れる方向に除電部材を避けて、第１搬送部材から第２搬送部材へ付着物を受け渡すことができる。
【００２９】
その結果、第１搬送部材から第２搬送部材へ付着物を円滑に受け渡すことができる。
（１３）複数の除電部材のそれぞれの軸線方向端部は、軸線方向および並列方向の両方と直交する直交方向に投影したときに、第２搬送部材に重なってもよい。
【００３０】
このような構成によれば、直交方向において除電部材と第２搬送部材とが重なる構成において、第１搬送部材から第２搬送部材へ付着物を円滑に受け渡すことができる。
【発明の効果】
【００３１】
本発明のドラムユニットによれば、第２搬送部材を効率よく配置することができ、大型化を抑制できる。
【図面の簡単な説明】
【００３２】
【図１】図１は、本発明の画像形成装置の一実施形態を示すプリンタの中央断面図である。
【図２】図２は、図１に示すドラムユニットの右後方から見た斜視図である。
【図３】図３は、図２に示すドラムユニットの左後方から見た斜視図である。
【図４】図４は、図２に示すドラムユニットの前板、後板および外側板を取り外した状態を示す右前方から見た斜視図である。
【図５】図５は、図４に示すドラムユニットの右前方から見た分解斜視図である。
【図６】図６Ａは、図４に示すドラムユニットの正面図である。図６Ｂは、図４に示すドラムユニットのＡ−Ａ断面図である。
【図７】図７Ａは、図６Ａに示すドラムユニットのＢ−Ｂ断面図である。図７Ｂは、図６Ａに示すドラムユニットのＣ−Ｃ断面図である。
【図８】図８は、図７Ｂに示す第１スクリューおよび第２スクリューへの駆動伝達を説明する説明図である。
【図９】図９Ａは、図７Ｂに示す搬送管のシャッタを説明する説明図であって、シャッタが閉位置に位置した状態を示す。図９Ｂは、図７Ｂに示す搬送管のシャッタを説明する説明図であって、シャッタが開位置に位置した状態を示す。
【図１０】図１０Ａは、装置本体に対するドラムユニットの着脱動作を説明する説明図であり、ドラムユニットが装着位置に位置した状態を示す。図１０Ｂは、図１０Ａに続いて装置本体に対するドラムユニットの着脱動作を説明する説明図であり、装置本体のフロントカバーが開放されて、ドラムユニットの後端部がわずかに上方へ移動した状態を示す。
【図１１】図１１Ａは、図１０Ｂに続いて装置本体に対するドラムユニットの着脱動作を説明する説明図であり、ドラムユニットが離間位置に位置し、シャッタがわずかに開位置から閉位置へ移動した状態を示す。図１１Ｂは、図１１Ａに続いて装置本体に対するドラムユニットの着脱動作を説明する説明図であり、ドラムユニットが外方位置に位置した状態を示す。
【図１２】図１２は、第１の変形例を説明する説明図である。
【図１３】図１３Ａは、第２の変形例を説明する説明図であって、ドラムユニットが装着位置に位置し、シャッタが開位置に位置した状態を示す。図１３Ｂは、図１３Ａとともに第２の変形例を説明する説明図であって、ドラムユニットが離間位置に位置し、シャッタが閉位置に位置した状態を示す。
【図１４】図１４は、第３の変形例を説明する説明図であって、中間転写タイプの画像形成装置を示す。
【発明を実施するための形態】
【００３３】
１．プリンタの全体構成
図１に示すように、プリンタ１は、横置きタイプのダイレクトタンデム型カラーレーザプリンタである。
【００３４】
なお、以下の説明において、方向について言及する場合には、プリンタ１を水平に載置した状態を上下の基準とする。すなわち、図１の紙面上方が上方であり、図１の紙面下方が下方である。また、図１の紙面左方が前方であり、図１の紙面右方が後方である。また、プリンタ１を前方から見たときを左右の基準とする。すなわち、図１の紙面手前が右方であり、紙面奥が左方である。
【００３５】
プリンタ１は、装置本体２と、プロセスユニット３と、スキャナユニット４と、転写ユニット５と、定着ユニット６とを備えている。
【００３６】
装置本体２は、略ボックス形状に形成されている。装置本体２は、開口部２１と、フロントカバー２２と、給紙トレイ７と、排紙トレイ８とを有している。
【００３７】
開口部２１は、装置本体２の前端部に配置されている。開口部２１は、プロセスユニット３の通過を許容するように、装置本体２の内外を前後方向に連通している。
【００３８】
フロントカバー２２は、装置本体２の前端部に配置されている。フロントカバー２２は、略平板形状を有している。フロントカバー２２は、上下方向に延び、その下端部を支点として装置本体２の前壁に揺動可能に支持されている。フロントカバー２２は、開口部２１を開放または閉鎖するように構成されている。
【００３９】
給紙トレイ７は、装置本体２の底部に配置されている。給紙トレイ７は、用紙Ｐを収容するように構成されている。
【００４０】
排紙トレイ８は、装置本体２の上壁に配置されている。排紙トレイ８は、用紙Ｐが載置されるように、装置本体２の上面から下方へ凹んでいる。
【００４１】
プロセスユニット３は、装置本体２の中央に配置されている。プロセスユニット３は、開口部２１を介して、装置本体２内に装着される装着位置と、装置本体２外に引き出される引出位置とに移動可能である。プロセスユニット３は、ドラムユニット９と、複数の現像カートリッジ１０とを備えている。
【００４２】
ドラムユニット９は、複数の感光ドラム１１と、複数のスコロトロン型帯電器１２とを備えている。
【００４３】
複数の感光ドラム１１のそれぞれは、プロセスユニット３の下端部に回転可能に支持されている。複数の感光ドラム１１のそれぞれは、イエロー、マゼンタ、シアン、ブラックのそれぞれに対応している。複数の感光ドラム１１のそれぞれは、前方から後方に向かって、イエロー、マゼンタ、シアン、ブラックの順に互いに間隔を隔てて並列配置されている。複数の感光ドラム１１のそれぞれは、左右方向に延びる略円筒形状を有している。
【００４４】
複数のスコロトロン型帯電器１２のそれぞれは、複数の感光ドラム１１のそれぞれに対応し、対応する感光ドラム１１の後上方に間隔を隔てて配置されている。
【００４５】
複数の現像カートリッジ１０のそれぞれは、複数の感光ドラム１１のそれぞれに対応し、対応する感光ドラム１１の上方に配置されている。複数の現像カートリッジ１０のそれぞれは、現像ローラ１３と、供給ローラ１４とを備えている。また、現像カートリッジ１０は、現像ローラ１３および供給ローラ１４の上方の空間において、各色に対応するトナーを収容している。
【００４６】
現像ローラ１３は、現像カートリッジ１０の下端部において、後方へ露出するように回転可能に支持されている。また、現像ローラ１３は、感光ドラム１１の前上端部に接触している。
【００４７】
供給ローラ１４は、現像ローラ１３の前上方に配置されている。供給ローラ１４は、現像ローラ１３の前上端部に接触している。
【００４８】
スキャナユニット４は、装置本体２の上端部に配置されている。スキャナユニット４は、図１に実線で示すように、感光ドラム１１に向かって、画像データに基づいてレーザービームを出射し、感光ドラム１１を露光する。
【００４９】
転写ユニット５は、プロセスユニット３の下方に配置されている。転写ユニット５は、駆動ローラ１５、従動ローラ１６と、搬送ベルト１７と、複数の転写ローラ１８とを備えている。
【００５０】
駆動ローラ１５は、転写ユニット５の後端部に配置されている。
【００５１】
従動ローラ１６は、駆動ローラ１５の前方に間隔を隔てて対向配置されるように、転写ユニット５の前端部に配置されている。
【００５２】
搬送ベルト１７は、その上方部分がすべての感光ドラム１１と接触するように、駆動ローラ１５および従動ローラ１６の周りに巻回されている。搬送ベルト１７は、駆動ローラ１５の駆動、および、従動ローラ１６の従動により、その上方部分が前方から後方へ向かって移動するように、周回移動される。
【００５３】
複数の転写ローラ１８のそれぞれは、複数の感光ドラム１１のそれぞれに対応し、対応する感光ドラム１１の下方において、搬送ベルト１７の上方部分を挟んで配置されている。
【００５４】
定着ユニット６は、転写ユニット５の後方に配置され、加熱ローラ１９、および、加熱ローラ１９に接触する加圧ローラ２０を備えている。
【００５５】
そして、プリンタ１が画像形成動作を開始すると、スコロトロン型帯電器１２は、感光ドラム１１の表面を一様に帯電する。その後、スキャナユニット４は、感光ドラム１１の表面を露光する。これにより、画像データに基づく静電潜像が、感光ドラム１１の表面に形成される。
【００５６】
また、供給ローラ１４は、現像カートリッジ１０内のトナーを現像ローラ１３に供給する。このとき、トナーは、現像ローラ１３と供給ローラ１４との間で正極性に摩擦帯電され、現像ローラ１３上に担持される。
【００５７】
そして、現像ローラ１３は、担持されたトナーを、感光ドラム１１の表面上の静電潜像に供給する。これにより、トナー像が、感光ドラム１１の表面上に担持される。
【００５８】
用紙Ｐは、各種ローラの回転により、給紙トレイ７から前上方へ搬送された後、後上方へＵターンされて、所定のタイミングで１枚ずつ、イエローの感光ドラム１１と搬送ベルト１７との間に給紙される。その後、用紙Ｐは、搬送ベルト１７によって前方から後方へ向かって搬送される。感光ドラム１１上のトナー像は、用紙Ｐが感光ドラム１１と転写ローラ１８との間を通過するときに、用紙Ｐに転写される。
【００５９】
その後、用紙Ｐは、加熱ローラ１９と加圧ローラ２０との間を通過するときに加熱および加圧される。このとき、用紙Ｐ上のトナー像は、用紙Ｐに熱定着される。その後、用紙Ｐは、排紙トレイ８に排紙される。
２．ドラムユニットの詳細
ドラムユニット９は、上記し、図２および図４に示すように、平面視略矩形の枠形状を有している。ドラムユニット９は、１対の内側板３１、上記した複数の感光ドラム１１、複数の軸受部材３３、ドラムクリーニングユニット３０、回転部材９１、前板３４、後板３５、および１対の外側板３６を備えている。
（１）内側板
１対の内側板３１のそれぞれは、図４に示すように、互いに左右方向に間隔を隔てて、ドラムユニット９の左右方向両端部のそれぞれに配置されている。１対の内側板３１のそれぞれは、前後方向に長い側面視略矩形の平板形状を有している。１対の内側板３１のそれぞれは、同一のプレス型を用いて金属板をプレス加工することによって得られ、互いに同一の形状を有している。１対の内側板３１のそれぞれは、図５に示すように、複数の貫通穴３７と、複数のボス挿通穴２８と、複数のねじ挿通穴２９と、切欠部６９とを有している。
【００６０】
複数の貫通穴３７のそれぞれは、前後方向に互いに等間隔を隔てて配置されている。複数の貫通穴３７のそれぞれは、複数の感光ドラム１１のそれぞれに対応して、具体的には、４つ配置されている。複数の貫通穴３７のそれぞれは、側面視略円形状を有している。
【００６１】
複数のボス挿通穴２８のそれぞれは、複数の貫通穴３７のそれぞれの後上方に配置されている。複数のボス挿通穴２８のそれぞれは、内側板３１を左右方向に貫通し、前後方向に延びる側面視略長穴形状を有している。
【００６２】
複数のねじ挿通穴２９のそれぞれは、複数のボス挿通穴２８のそれぞれの後下方に配置されている。複数のボス挿通穴２８のそれぞれは、内側板３１を左右方向に貫通し、側面視略円形状を有している。
【００６３】
切欠部６９は、内側板３１の後端部に配置されている。切欠部６９は、内側板３１の後端縁から前方へ向かって切り欠かれている。切欠部６９は、後端部が開放された側面視略Ｖ字形状を有している。
（２）感光ドラムおよび軸受部材
複数の感光ドラム１１のそれぞれは、図５および図６Ａに示すように、ドラム本体４１と、１対のフランジ部材４２と、ドラムカップリング４５とを備えている。
【００６４】
ドラム本体４１は、１対の内側板３１の間に配置されている。ドラム本体４１は、左右に延びる略円筒形状の金属管であり、外周面において感光層を有している。ドラム本体４１の左右方向両端部のそれぞれは、１対の内側板３１の左右方向内方に間隔Ｄを隔てて配置されている。
【００６５】
１対のフランジ部材４２のそれぞれは、ドラム本体４１の左右両端部のそれぞれに相対回転不能に嵌まっている。なお、以下の説明において、フランジ部材４２の左右に言及するときには、左方のフランジ部材４２を左フランジ部材４２Ｌと記載し、右方のフランジ部材４２を右フランジ部材４２Ｒと記載する。１対のフランジ部材４２のそれぞれは、大径部４３と、小径部４４とを備えている。
【００６６】
大径部４３は、フランジ部材４２の左右方向内端部に配置されている。大径部４３は、左右方向外端部が閉鎖された略円筒形状を有している。大径部４３の外径は、ドラム本体４１の内径とほぼ同じである。大径部４３は、左右方向外端部がドラム本体４１の左右方向外方に露出されるように、ドラム本体４１内に挿入されている。左フランジ部材４２Ｌの大径部４３は、ギア部４３Ａを有している。
【００６７】
ギア部４３Ａは、左フランジ部材４２Ｌの大径部４３の左端部に配置されている。ギア部４３Ａは、左右方向に厚みを有する略円板形状を有している。ギア部４３Ａは、周面すべてにわたってギア歯を有している。
【００６８】
小径部４４は、大径部４３の左右方向外壁から左右方向外方へ突出されている。小径部４４は、大径部４３と中心軸線を共有する略円筒形状を有している。小径部４４の外径は、大径部４３の外径よりも小さい。
【００６９】
ドラムカップリング４５は、感光ドラム１１の左端部に配置されている。ドラムカップリング４５は、カップリング部４５Ａと、鍔部４５Ｂとを備えている。
【００７０】
カップリング部４５Ａは、内側板３１の左方（左右方向外方）において、ドラムカップリング４５の左端部に配置されている。カップリング部４５Ａは、左フランジ部材４２Ｌの小径部４４よりも大径な略円板形状を有している。カップリング部４５Ａは、装置本体２内の本体カップリング７１と相対回転不能に嵌合するように構成されている。
【００７１】
鍔部４５Ｂは、カップリング部４５Ａの右端部の外周面から径方向外方に突出し、カップリング部４５Ａの周方向に延びている。鍔部４５Ｂは、略円環形状を有している。鍔部４５Ｂは、左方の外側板３６の貫通穴３６Ａ（後述）の周縁部と、左方の内側板３１との間に配置されている。これにより、ドラムカップリング４５は、左方のフランジ部材４２の小径部４４から左方に離脱することを規制されている。
【００７２】
なお、ドラムカップリング４５は、カップリング部４５Ａの右面から右方へ延びる図示しない軸部を有し、軸部において左方のフランジ部材４２の小径部４４に、離脱可能かつ相対回転不能に嵌まっている。
【００７３】
複数の軸受部材３３のそれぞれは、複数の感光ドラム１１のそれぞれに対応して、具体的には、４対、配置されている。１対の軸受部材３３のそれぞれは、対応する感光ドラム１１の左右方向両端部のそれぞれを支持する。複数の軸受部材３３のそれぞれは、筒部３３Ａと、鍔部３３Ｂとを備えている。
【００７４】
筒部３３Ａは、左右方向に延びる略円筒形状を有している。筒部３３Ａの内径は、フランジ部材４２の小径部４４の外径とほぼ同じである。筒部３３Ａの外径は、内側板３１の貫通穴３７の複数の平面に内接する内接円の直径とほぼ同じである。筒部３３Ａは、フランジ部材４２の小径部４４に径方向外方から相対回転可能に嵌まっている。また、筒部３３Ａは、内側板３１の貫通穴３７と、クリーナフレーム８１の壁部８６の挿通穴９０に嵌まっている。
【００７５】
鍔部３３Ｂは、筒部３３Ａの左右方向外端部の外周面から径方向外方に突出し、筒部３３Ａの周方向に延びている。鍔部３３Ｂは、略円環形状を有している。鍔部３３Ｂは、内側板３１の左右方向外面に左右方向外方から接触している。
（３）ドラムクリーニングユニット
ドラムクリーニングユニット３０は、複数のドラムクリーナ３２と、廃トナー搬送部材５１と、複数のシール部材６１とを備えている。
（３−１）ドラムクリーナ
複数のドラムクリーナ３２のそれぞれは、図６Ｂおよび図７Ａに示すように、複数の感光ドラム１１のそれぞれに対応し、対応する感光ドラム１１の後方に配置されている。複数のドラムクリーナ３２のそれぞれは、クリーナフレーム８１と、クリーニングブレード８２と、第１スクリュー８３と、除電部材８４とを備えている。
【００７６】
クリーナフレーム８１は、本体部８５と、１対の壁部８６と、１対のボス８１Ａ（図５参照）と、１対のねじ穴８１Ｂ（図５参照）とを備えている。
【００７７】
本体部８５は、クリーナフレーム８１の後端部に配置されている。本体部８５は、左右方向に延び、左右方向両端部が閉鎖された略角筒形状を有している。本体部８５は、ブレード支持部８７と、廃トナー搬送部８８と、ギア収容部７９と、除電部材支持部８９とを有している。
【００７８】
ブレード支持部８７は、本体部８５の上端部に配置されている。ブレード支持部８７は、左右方向に延びる略板形状を有している。
【００７９】
廃トナー搬送部８８は、ブレード支持部８７の下方に配置されている。廃トナー搬送部８８は、左右方向に延び、左端部が閉鎖され、右端部と前端部とが開放された略半円筒形状を有している。廃トナー搬送部８８の上端部は、ブレード支持部８７の下端部に連続している。
【００８０】
ギア収容部７９は、廃トナー搬送部８８の左方に配置されている。ギア収容部７９は、左右方向に延び、左右両端部が閉鎖され、前端部が開放された略半円筒形状を有している。
【００８１】
除電部材支持部８９は、廃トナー搬送部８８の下方に配置されている。除電部材支持部８９は、左右方向に延び、前端部が開放された略角筒形状を有している。除電部材支持部８９の上端部は、廃トナー搬送部８８の下端部に連続している。
【００８２】
１対の壁部８６のそれぞれは、クリーナフレーム８１の左右方向両端部のそれぞれに配置されている。１対の壁部８６のそれぞれは、本体部８５の左右方向両端部のそれぞれから前方へ延びる略板形状を有している。１対の壁部８６のそれぞれは、１対の内側板３１のそれぞれの内面に接触している。１対の壁部８６のそれぞれは、図５に示すように、挿通穴９０を有している。
【００８３】
挿通穴９０は、壁部８６の略中央に配置されている。挿通穴９０は、側面視略円形状を有している。挿通穴９０は、左右方向に投影したときに、内側板３１の貫通穴３７と一致する。
【００８４】
１対のボス８１Ａのそれぞれは、クリーナフレーム８１の左右方向両端部のそれぞれに配置されている。１対のボス８１Ａのそれぞれは、本体部８５の左右方向外面から左右方向外方へ突出する略円柱形状を有している。１対のボス８１Ａのそれぞれは、対応する内側板３１のボス挿通穴２８内に嵌まっている。
【００８５】
１対のねじ穴８１Ｂのそれぞれは、１対のボス８１Ａのそれぞれの後下方に配置されている。１対のねじ穴８１Ｂのそれぞれは、本体部８５の左右方向外面から左右方向内方へ凹み、側面視略円形状を有している。
【００８６】
クリーニングブレード８２は、支持部材８２Ａと、ブレード本体８２Ｂとを備えている。
【００８７】
支持部材８２Ａは、金属からなり、左右方向に延びる略板形状を有している。支持部材８２Ａは、クリーナフレーム８１のブレード支持部８７に固定されている。
【００８８】
ブレード本体８２Ｂは、ゴムなどの弾性部材からなり、左右方向に延びる略板形状を有している。ブレード本体８２Ｂの上端部は、支持部材８２Ａに固定されている。ブレード本体８２Ｂの下端部は、廃トナー搬送部８８の上方半分を被覆するように、廃トナー搬送部８８の前方に向かい合っている。また、ブレード本体８２Ｂの下端部は、後方に湾曲した状態で、感光ドラム１１のドラム本体４１の後端部に接触している。
【００８９】
第１スクリュー８３は、廃トナー搬送部８８内に配置されている。第１スクリュー８３は、左右方向に延びるオーガスクリューである。第１スクリュー８３の左端部は、ギア収容部７９と廃トナー搬送部８８との間の壁に相対回転可能に支持されている。また、第１スクリュー８３の左端部は、ギア収容部７９と廃トナー搬送部８８との間を貫通して、ギア収容部７９内に配置されている。第１スクリュー８３は、第１スクリューギア８０を備えている。
【００９０】
第１スクリューギア８０は、ギア収容部７９内において、第１スクリュー８３の左端部に相対回転不能に支持されている。第１スクリューギア８０は、左右方向に延びる略円柱形状を有し、その周面すべてにわたってギア歯を有している。第１スクリューギア８０は、感光ドラム１１の左方のフランジ部材４２の大径部４３に噛み合っている（図８参照）。
【００９１】
除電部材８４は、除電部材支持部８９内に固定されている。除電部材８４は、左右方向に延びる半円柱形状を有している。除電部材８４の前面は、上下方向中央が前方へ膨出するように、側面視略円弧形状を有している。除電部材８４の前面の曲率中心Ａ１は、対応する第１スクリュー８３の回転中心Ａ２よりも前方に配置されている。言い換えると、第１スクリュー８３の回転中心Ａ２は、前後方向において、対応する除電部材８４の前面の曲率中心Ａ１よりも、対応する感光ドラム１１の反対側に配置されている。除電部材８４は、用紙Ｐにトナー像を転写した後の感光ドラム１１の表面を、対応するクリーニングブレード８２が付着物を除去する前に露光し、対応する感光ドラム１１の表面の電荷を低減する。
（３−２）廃トナー搬送部材およびシール部材
廃トナー搬送部材５１は、図５および図６Ａに示すように、感光ドラム１１のドラム本体４１と、右方の内側板３１との間隔Ｄに配置されている。廃トナー搬送部材５１は、搬送管５２と、複数の接続部５３と、第２スクリュー５７（図６Ｂ参照）と、第２スクリューギア５８とを備えている。
【００９２】
搬送管５２は、前後方向に延び、前後方向両端部が閉鎖された略円筒形状を有する。
搬送管５２は、内側板３１の下端縁Ｅよりも上方に配置されている。また、搬送管５２は、上下方向に投影したときに、右フランジ部材４２Ｒの小径部４４、および、除電部材８４の右端部と重なる。また、搬送管５２の上方半分は、左右方向に投影したときに、ドラム本体４１の下端部と重なる。搬送管５２は、図９Ａおよび図９Ｂに示すように、開口５９と、シャッタ６０とを有している。
【００９３】
開口５９は、搬送管５２の後端部に配置されている。開口５９は、搬送管５２の下側周壁を上下方向に貫通し、底面視略矩形状を有している。
【００９４】
シャッタ６０は、搬送管５２の後端部に配置されている。シャッタ６０は、前後方向に延び、搬送管５２の周面に沿うように左右方向両端部が上方へ湾曲した底面視略矩形の板形状を有している。シャッタ６０は、前後方向に沿って、開口５９を閉鎖する閉位置（図９Ａ参照）と、開口５９を開放する開位置（図９Ｂ参照）とを移動する。シャッタ６０は、図示しない付勢部材によって、常には、閉位置へ向かって付勢されている。シャッタ６０は、当接リブ６０Ａを備えている。
【００９５】
当接リブ６０Ａは、シャッタ６０の前端部から下方へ突出し、左右方向に延びる略平板形状を有している。
【００９６】
複数の接続部５３のそれぞれは、図５に示すように、搬送管５２の上方において、前後方向に互いに間隔を隔てて配置されている。複数の接続部５３のそれぞれは、複数のドラムクリーナ３２のそれぞれに対応して、具体的には、４つ、配置されている。複数の接続部５３のそれぞれは、挿入部５４と、連通部５５と、固定部５６とを備えている。
【００９７】
挿入部５４は、図５および図６Ｂに示すように、接続部５３の前上端部に配置されている。挿入部５４は、左右方向に延び、左端部が開放され、右端部が閉鎖された略円筒形状を有している。挿入部５４は、ドラムクリーナ３２の廃トナー搬送部８８の右端部を閉鎖するように、シール部材６１を介して、ドラムクリーナ３２の廃トナー搬送部８８の右端部に接続されている。第１スクリュー８３の右端部は、挿入部５４内に挿入されている。
【００９８】
連通部５５は、図５および図７Ｂに示すように、除電部材８４の後方ににおいて、挿入部５４の後下方に配置されている。連通部５５は、上下方向に延びる略角筒形状を有している。連通部５５の前上端部は、挿入部５４の後下端部に連通している。連通部５５の下端部は、搬送管５２の上端部に連通している。
【００９９】
固定部５６は、図５に示すように、接続部５３の後上端部に配置されている。固定部５６は、連通部５５の右端部から上方へ延びる側面視略矩形の板形状を有している。固定部５６は、ねじ挿通穴５６Ａを有している。
【０１００】
ねじ挿通穴５６Ａは、固定部５６の中央に配置されている。ねじ挿通穴５６Ａは、固定部５６を左右方向に貫通している。複数の接続部５３のそれぞれのうちの最前方の接続部５３のねじ挿通穴５６Ａは、側面視略円形状を有している。最前方の接続部５３以外の接続部５３のねじ挿通穴５６Ａは、前後方向に延びる側面視略長穴形状を有している。ねじ挿通穴５６Ａは、対応する内側板３１のねじ挿通穴２９、および、対応するクリーナフレーム８１のねじ穴８１Ｂと左右方向に向かい合っている。固定部５６は、ねじ５０が内側板３１のねじ挿通穴２９と固定部５６のねじ挿通穴５６Ａとを介してクリーナフレーム８１のねじ穴８１Ｂに螺合されることにより、右方の内側板３１とともにクリーナフレーム８１の右壁に固定されている。
【０１０１】
最前方の接続部５３は、側面視略円形状を有しているため、上下方向および前後方向の両方において、対応するクリーナフレーム８１に対する廃トナー搬送部材５１の移動を規制する。最前方の接続部５３以外の接続部５３は、前後方向に延びる側面視略長穴形状を有しているため、前後方向において、対応するクリーナフレーム８１に対する廃トナー搬送部材５１の移動を許容し、上下方向において、対応するクリーナフレーム８１に対する廃トナー搬送部材５１の移動を規制する。
【０１０２】
第２スクリュー５７は、図７Ｂに示すように、搬送管５２内に配置されている。第２スクリュー５７は、前後方向に延びるオーガスクリューである。すなわち、第２スクリュー５７の中心軸線Ａ３は、前後方向に延びている。第２スクリュー５７は、上下方向に投影したときに、右フランジ部材４２Ｒの小径部４４、および、除電部材８４の右端部と重なる。また、第２スクリュー５７の上方半分は、左右方向に投影したときに、ドラム本体４１の下端部と重なる。第２スクリュー５７の前端部は、搬送管５２の前壁に相対回転可能に支持されている。第２スクリュー５７の後端部は、搬送管５２の後壁に相対回転可能に支持されるとともに、搬送管５２の後壁を貫通して、搬送管５２の後壁から後方へ突出している。
【０１０３】
第２スクリューギア５８は、搬送管５２の後端部に相対回転可能に支持されるとともに、第２スクリュー５７の後端部を相対回転不能に支持している。第２スクリューギア５８は、前後方向に延びる略円柱形状を有し、その周面すべてにわたってはす歯を有している。
【０１０４】
複数のシール部材６１のそれぞれは、図５および図６Ｂに示すように、複数のドラムクリーナ３２のそれぞれに対応して、具体的には、４つ、配置されている。複数のシール部材６１のそれぞれは、対応するドラムクリーナ３２の廃トナー搬送部８８と、対応する挿入部５４との間に圧縮状態で配置されている。これにより、複数のシール部材６１のそれぞれは、対応するドラムクリーナ３２の廃トナー搬送部８８と、対応する挿入部５４との間をシールしている。複数のシール部材６１のそれぞれは、スポンジなどの弾性部材からなり、側面視略矩形の平板形状を有している。複数のシール部材６１のそれぞれは、挿通穴６２を有している。
【０１０５】
挿通穴６２は、シール部材６１の中央に配置されている。挿通穴６２は、シール部材６１を左右方向に貫通し、前後方向に延びる側面視略長穴形状を有している。
（４）回転部材
回転部材９１は、図２および図８に示すように、ドラムユニット９の後端部に配置されている。回転部材９１は、駆動シャフト９３と、カップリング部材９２と、ウォームギア９４とを備えている。
【０１０６】
駆動シャフト９３は、左右方向に延びる略円柱形状を有している。すなわち、駆動シャフト９３の中心軸線Ａ４は、左右方向に延びている。駆動シャフト９３の左右方向両端部のそれぞれは、最後方のクリーナフレーム８１の１対の支持板９５のそれぞれに回転可能に支持されている。なお、１対の支持板９５のそれぞれは、最後方のクリーナフレーム８１の左右方向両端部のそれぞれから後方へ向かって延びる略板形状を有している。
【０１０７】
カップリング部材９２は、回転部材９１の左端部に配置されている。カップリング部材９２は、左右方向に延びる略円柱形状を有している。カップリング部材９２は、駆動シャフト９３と中心軸線Ａ４を共有している。カップリング部材９２は、駆動シャフト９３の左端部に相対回転不能に支持されている。また、カップリング部材９２は、外側板３６の後下端部において、貫通穴３６Ｂ（後述、図３参照）内に回転可能に支持されている。すなわち、カップリング部材９２は、複数の感光ドラム１１のそれぞれのドラム本体４１よりも左方に配置されている。カップリング部材９２は、装置本体２内の本体カップリング７３に相対回転不能に嵌合するように構成されている。
【０１０８】
ウォームギア９４は、回転部材９１の右端部に配置されている。ウォームギア９４は、左右方向に延びる略円柱形状を有している。ウォームギア９４は、駆動シャフト９３と中心軸線Ａ４を共有している。ウォームギア９４は、駆動シャフト９３の左端部に相対回転不能に支持されている。ウォームギア９４は、その周面にねじ山状のギア歯を有している。ウォームギア９４は、第２スクリューギア５８の上端部に噛み合っている。
（５）前板、後板および外側板
前板３４は、図２に示すように、ドラムユニット９の前端部に配置されている。前板３４は、左右方向に長い正面視略矩形の平板形状を有している。前板３４は、１対の内側板３１の前端部間に架設されている。前板３４は、前把持部３４Ａを備えている。
【０１０９】
前把持部３４Ａは、前板３４の左右方向中央に配置されている。前把持部３４Ａは、前板３４の前面から前方へ突出し、左右方向に延びる略板形状を有している。
【０１１０】
後板３５は、ドラムユニット９の後端部に配置されている。後板３５は、左右方向に長い正面視略矩形の平板形状を有している。後板３５は、１対の内側板３１の後端部間に架設されている。後板３５は、後把持部３５Ａを備えている。
【０１１１】
後把持部３５Ａは、後板３５の上端部に配置されている。後把持部３５Ａは、後板３５の上面から前上方へ突出し、左右方向に延びている。後把持部３５Ａは、背面視略矩形の枠形状を有している。後把持部３５Ａは、搬送管５２の開口５９よりも前方に配置されている（図１０参照）。
【０１１２】
１対の外側板３６のぞれぞれは、１対の内側板３１のそれぞれの左右方向外方に配置されている。１対の外側板３６のそれぞれは、樹脂からなり、１対の内側板３１のそれぞれよりも上下方向に幅広な側面視略矩形の平板形状を有している。左方の外側板３６は、図３に示すように、ドラムカップリング４５のカップリング部４５Ａが回転可能に嵌まる貫通穴３６Ａと、回転部材９１のカップリング部材９２が回転可能に嵌まる貫通穴３６Ｂとを有している。左方の外側板３６は、図６Ａに示すように、貫通穴３６Ａの周縁部において、ドラムカップリング４５の鍔部４５Ｂの左方に向かい合っている。
３．装置本体の構成
装置本体２は、図１１Ｂに示すように、廃トナー収容部２３と、本体基準軸７０とを備えている。
【０１１３】
廃トナー収容部２３は、転写ユニット５の下方に配置されている。廃トナー収容部２３は、略ボックス形状を有している。廃トナー収容部２３は、導入管２３Ａと、干渉部２３Ｂとを備えている。
【０１１４】
導入管２３Ａは、廃トナー収容部２３の後端部の右端部に配置されている。導入管２３Ａは、上下方向に延びる略筒形状を有している。導入管２３Ａの上端部は、開放されている。導入管２３Ａの下端部は、廃トナー収容部２３の内部空間に連通している。
【０１１５】
干渉部２３Ｂは、導入管２３Ａの上端部に配置されている。干渉部２３Ｂは、導入管２３Ａの上端部から前方へ延びる略板形状を有している。
【０１１６】
本体基準軸７０は、装置本体２の後端部内に配置されている。本体基準軸７０は、金属からなり、左右方向に延びる略円柱形状を有している。
４．ドラムユニットの着脱動作
ドラムユニット９が、装置本体２内において装着位置に装着されているときには、図１０Ａに示すように、左右の内側板３１のそれぞれの切欠部３０は、本体基準軸７０の左右方向両端部のそれぞれに嵌まっている。これにより、ドラムユニット９は、装着位置に位置決めされている。
【０１１７】
このとき、複数の感光ドラム１１のそれぞれは、搬送ベルト１７の上方部分に接触している。搬送管５２のシャッタ６０は、開位置に配置されている。シャッタ６０の当接リブ６０Ａは、廃トナー収容部２３の干渉部２３Ｂの前端部に当接している。搬送管５２の開口５９は、廃トナー収容部２３の導入管２３Ａの上端部に連結されている。搬送管５２は、開口５９を介して、廃トナー収容部２３の導入管２３Ａの上端部に連通している。
【０１１８】
そして、ドラムユニット９を引出位置に引き出すには、図１０Ｂに示すように、作業者は、まず、装置本体２のフロントカバー２２を開放する。
【０１１９】
すると、フロントカバー２２の開動作に連動して、図示しない押圧部材により、ドラムユニット９の前端部が上方へ押圧される。すると、ドラムユニット９の前端部は、最前方の感光ドラム１１が搬送ベルト１７の上方部分からわずかに上方へ離間するように、わずかに上方へ移動する。これにより、ドラムユニット９は、前端部が後端部に対してわずかに上方に位置するように傾斜する。
【０１２０】
次いで、ドラムユニット９を引出位置に引き出すには、図１１Ａに示すように、作業者は、ドラムユニット９の前把持部３４Ａを把持して、ドラムユニット９を前方へ引き出す。
【０１２１】
すると、ドラムユニット９は、図示しないガイドによって案内されて、わずかに前上方へ移動する。
【０１２２】
このとき、ドラムユニット９の後端部は、図示しないガイドによって案内されながら、最後方の感光ドラム１１が搬送ベルト１７の上方部分から上方へ離間するように、ドラムユニット９の前端部よりも大きく前上方へ移動する。
【０１２３】
これにより、ドラムユニット９は、すべての感光ドラム１１が搬送ベルト１７から離間した離間位置に配置される。
【０１２４】
このとき、ドラムユニット９は、水平に支持されている。シャッタ６０の当接リブ６０Ａと、廃トナー収容部２３の干渉部２３Ｂは、前後方向から見て重なっている。シャッタ６０は、当接リブ６０Ａが廃トナー収容部２３の干渉部２３Ｂの前端部に当接した状態で、ドラムユニット９の前方への移動に伴って、図示しない付勢部材の付勢力により、わずかに閉位置に向かって後方へ移動している。
【０１２５】
次いで、ドラムユニット９を引出位置に引き出すには、作業者は、ドラムユニット９の前把持部３４Ａを把持して、ドラムユニット９をさらに前方へ引き出す。
【０１２６】
すると、シャッタ６０は、ドラムユニット９の前方への移動に伴って、図示しない付勢部材の付勢力により後方へ移動し、閉位置に位置する。
【０１２７】
そして、後把持部３５Ａが開口部２１から前方へ露出されるまでドラムユニット９を引き出すと、図示しないストッパにより、ドラムユニット９の前方へのそれ以上の移動が規制される。これにより、図１１Ｂに示すように、ドラムユニット９は、引出位置に位置する。
【０１２８】
このとき、ドラムユニット９の後端部、具体的には、後把持部３５Ａよりも後方の部分は、装置本体２内に配置されている。つまり、搬送管５２の開口５９は、装置本体２内に配置されている。
【０１２９】
これにより、ドラムユニットの引き出し動作が完了する。
【０１３０】
また、ドラムユニット９を装着位置に装着するには、上記した引き出し動作と逆に、ドラムユニット９を操作する。
【０１３１】
詳しくは、作業者は、ドラムユニット９の前把持部３４Ａを把持して、ドラムユニット９を後方へ押し込む。
【０１３２】
すると、ドラムユニット９は、後方へ移動する。すると、ドラムユニット９が離間位置に位置する前において、シャッタ６０の当接リブ６０Ａが、廃トナー収容部２３の干渉部２３Ｂの前端部に前方から当接する。
【０１３３】
そして、作業者がドラムユニット９をさらに後方へ押し込むと、シャッタ６０は、ドラムユニット９の後方への移動に伴って、図示しない付勢部材の付勢力に抗して、開位置に向かって前方へ移動する。
【０１３４】
そして、図１１Ａに示すように、ドラムユニット９が離間位置に位置すると、開口５９は、ほぼすべて開放された状態で、廃トナー収容部２３の導入管２３Ａの上方に向かい合う。
【０１３５】
次いで、作業者がドラムユニット９をさらに後方へ押し込むと、ドラムユニット９は、図示しないガイドによって案内されて、後下方へ移動し、図１０Ｂに示すように、前端部が後端部に対してわずかに上方に位置するように傾斜した状態で、装着位置に位置する。
【０１３６】
このとき、搬送管５２のシャッタ６０は、開位置に配置される。搬送管５２の開口５９は、廃トナー収容部２３の導入管２３Ａの上端部に連結される。
【０１３７】
そして、作業者がフロントカバー２２を閉めると、図１０Ａに示すように、フロントカバー２２の閉動作に連動して、図示しない押圧部材によるドラムユニット９の前端部に対する押圧が解除され、ドラムユニット９の前端部が下方へ移動する。すると、すべての感光ドラム１１が搬送ベルト１７の上方部分に接触される。
【０１３８】
これにより、ドラムユニット９の装着動作が完了する。
５．第１スクリューおよび第２スクリューへの駆動伝達
上記したドラムユニット９の装着動作が完了すると、図６Ａに示すように、フロントカバー２２の閉動作に連動して、装置本体２の本体カップリング７１が右方に進出して、感光ドラム１１のドラムカップリング４５に嵌まる。
【０１３９】
また、図８に示すように、装置本体２の本体カップリング７３が右方に進出して、回転部材９１のカップリング部材９２に嵌まる。
【０１４０】
そして、上記した画像形成動作が開始されると、装置本体２の本体カップリング７１を介して感光ドラム１１のドラムカップリング４５に駆動力が入力されるとともに、装置本体２の本体カップリング７３を介して、回転部材９１のカップリング部材９２に駆動力が伝達される。
【０１４１】
すると、感光ドラム１１が回転するとともに、回転部材９１が回転する。
【０１４２】
感光ドラム１１が回転すると、左フランジ部材４２Ｌのギア部４３Ａを介して、第１スクリューギア８０に駆動力が伝達され、第１スクリューギア８０が回転する。
【０１４３】
また、回転部材９１が回転すると、ウォームギア９４を介して、第２スクリューギア５８に駆動力が伝達され、第２スクリューギア５８が回転する。
６．ドラムクリーニング動作
上記した画像形成動作において、トナー像が用紙Ｐに転写された後、感光ドラム１１の表面には、用紙Ｐに転写されずに残存したトナー（残トナー）や、用紙Ｐから付着した紙粉などが付着する場合がある。
【０１４４】
残トナーや紙粉などの付着物は、図７Ａに示すように、感光ドラム１１の回転に伴って、クリーニングブレード８２によって感光ドラム１１の表面から掻き取られ、廃トナー搬送部８８内に貯留される。
【０１４５】
廃トナー搬送部８８内に貯留された付着物は、図６Ｂに示すように、第１スクリュー８３によって右方へ搬送され、廃トナー搬送部材５１の挿入部５４内に供給される。
【０１４６】
挿入部５４に供給された付着物は、図７Ｂに示すように、連通部５５内を下方へ落下し、搬送管５２内に供給される。
【０１４７】
搬送管５２内に供給された付着物は、第２スクリュー５７によって後方へ搬送され、図１０Ａに示すように、開口５９を介して廃トナー収容部２３に供給される。
７．特許請求の範囲との対応関係
上記の実施形態において、上下方向は、直交方向の一例である。前後方向は、並列方向の一例である。左右方向は、軸線方向の一例である。内側板３１は、側板の一例である。フランジ部材４２は、被支持部の一例である。ドラムカップリング４５は、駆動受け部の一例である。大径部４３は、第１部分の一例である。小径部４４は、第２部分の一例である。ギア部４３Ａは、第１ギアの一例である。クリーナフレーム８１は、支持部材の一例である。クリーニングブレード８２は、クリーニング部材の一例である。第１スクリュー８３は、第１搬送部材の一例である。第１スクリューギア８０は、第２ギアの一例である。除電部材８４の前面の曲率中心Ａ１は、除電部材８４の中心軸線の一例である。第１スクリュー８３の回転中心Ａ２は、第１スクリュー８３の回転軸線の一例である。接続部５３は、連結部の一例である。第２スクリュー５７は、第２搬送部材の一例である。
８．作用効果
（１）このドラムユニット９によれば、図６Ａに示すように、右方の内側板３１と、ドラム本体４１の右端縁との間のスペースを利用して第２スクリュー５７を配置することができる。
【０１４８】
そのため、感光ドラム１１を支持する内側板３１の外方に第２スクリュー５７を配置するためのスペースを設ける必要がなく、第２スクリュー５７を効率よく配置することができる。
【０１４９】
その結果、ドラムユニット９の大型化を抑制できる。
（２）このドラムユニット９によれば、図６Ｂおよび図７Ｂに示すように、第２スクリュー５７の少なくとも一部は、左右方向に投影したときに、ドラム本体４１と重なっている。
【０１５０】
そのため、右方の内側板３１と、ドラム本体４１の右端縁との間のスペースをより効率よく利用して、第２スクリュー５７を配置することができる。
【０１５１】
その結果、ドラムユニット９の大型化をより抑制できる。
（３）このドラムユニット９によれば、図６Ａに示すように、フランジ部材４２は、ドラム本体４１に接続される大径部４３よりも小径な小径部４４を有している。
【０１５２】
そのため、小径部４４と上下方向に重なる領域において、大径部４３と上下方向に重なる領域よりも、上下方向に大きなスペースを確保できる。
【０１５３】
その結果、第２スクリュー５７を効率よく配置することができる。
（４）このドラムユニット９によれば、図６Ａに示すように、ドラムカップリング４５は、左方の内側板３１の左方において左フランジ部材４２Ｌの小径部４４に接続され、小径部４４よりも大径なカップリング部４５Ａを備えている。
【０１５４】
そのため、内側板３１に支持される小径部４４を小型化することができながら、ドラムカップリング４５のカップリング部４５Ａの大きさを確保できる。
【０１５５】
その結果、内側板３１に対して感光ドラム１１をコンパクトに支持することができながら、ドラムカップリング４５で駆動力を確実に受けることができる。
（５）このドラムユニット９によれば、ドラムカップリング４５は、左フランジ部材４２Ｌの小径部４４に対して分離可能に接続されている。
【０１５６】
そのため、ドラムカップリング４５を左フランジ部材４２Ｌの小径部４４から分離させて、感光ドラム１１を内側板３１に対して円滑に着脱することができる。
（６）このドラムユニット９によれば、図６Ａに示すように、搬送管５２は、内側板３１の下端縁Ｅよりも上方に配置されている。
【０１５７】
そのため、上下方向において、搬送管５２を内側板３１の下端縁Ｅよりも上方にコンパクトに配置することができる。
（７）このドラムユニット９によれば、図５に示すように、最前方の固定部５６によって、複数のクリーナフレーム８１のそれぞれに対して、廃トナー搬送部材５１を、前後方向および上下方向に位置決めできる。
【０１５８】
また、最前方の固定部５６以外の固定部５６において、複数のクリーナフレーム８１のそれぞれの前後方向間隔に対する複数の固定部５６のそれぞれの前後方向間隔の寸法公差を許容できる。
（８）このドラムユニット９によれば、図６Ｂに示すように、複数の第１スクリュー８３のそれぞれの右端部は、複数の挿入部５４のそれぞれの内部に配置されていてもよい。
【０１５９】
そのため、クリーニングブレード８２が除去した付着物を、挿入部５４まで確実に搬送することができる。
（９）このドラムユニット９によれば、図５および図６Ｂに示すように、シール部材６１により、対応するドラムクリーナ３２の廃トナー搬送部８８と、対応する挿入部５４との間から搬送途中の付着物が漏れることを防止できる。
（１０）このドラムユニット９によれば、図８に示すように、複数の感光ドラム１１のそれぞれの左フランジ部材４２Ｌは、ギア部４３Ａを備えている。複数の第１スクリュー８３のそれぞれは、ギア部４３Ａと噛み合う第１スクリューギア８０を備えている。
【０１６０】
そのため、簡易な構成で、感光ドラム１１に入力された駆動力を利用して第１スクリュー８３を駆動させることができる。
（１１）このドラムユニット９によれば、図７Ｂに示すように、第１スクリュー８３を、前後方向において、対応する除電部材８４に対して、対応する感光ドラム１１から離れる方向、すなわち後方にずらして配置することができる。
【０１６１】
そのため、対応する感光ドラム１１から離れる方向に除電部材８４を避けて、第１スクリュー８３から第２スクリュー５７へ付着物を受け渡すことができる。
【０１６２】
その結果、第１スクリュー８３から第２スクリュー５７へ付着物を円滑に受け渡すことができる。
（１２）このドラムユニット９によれば、図６Ｂおよび図７Ｂに示すように、除電部材８４と第２スクリュー５７とが上下方向に重なる構成において、第１スクリュー８３から第２スクリュー５７へ付着物を円滑に受け渡すことができる。
６．変形例
（１）上記した実施形態では、回転部材９１の右端部にウォームギア９４を設け、第２スクリューギア５８をウォームギア９４と噛み合うはす歯ギアとして構成しているが、例えば、図１２に示すように、回転部材９１の右端部に第１の傘歯ギア１０２を設け、第２スクリューギア１０３に、第１の傘歯ギア１０２と噛み合う第２の傘歯ギア１０３Ａを設けることもできる。
（２）また、上記した実施形態では、ドラムユニット９を離間位置に配置した状態で、シャッタ６０は、開位置から閉位置へわずかに移動した位置に配置されているが、図１３Ｂに示すように、ドラムユニット９を離間位置に配置した状態で、シャッタ１１１が閉位置に配置されるように構成することもできる。
【０１６３】
詳しくは、シャッタ１１１の右端部の後端部から右方へ突出する略円柱形状のボス１１２を設けるとともに、装置本体２の右端部内にボス１１２と係合可能な傾斜リブ１１３を設ける。
【０１６４】
ドラムユニット９が装着位置に位置しているときには、図１３Ａに示すように、ボス１１２が傾斜リブ１１３の下端部に接触することにより、シャッタ１１１が開位置に配置される。
【０１６５】
ドラムユニット９を装着位置から上方へ移動させて離間位置に位置させると、図１３Ｂに示すように、図示しない付勢部材の付勢力によって、ボス１１２が傾斜リブ１１３の傾斜に沿って後上方へ摺動するように、シャッタ１１１が開位置から閉位置へ移動する。
（３）また、上記した実施形態では、画像形成装置１をダイレクトタンデム型カラーレーザプリンタとして構成したが、例えば、図１４に示すように、中間転写ベルト１２１と二次転写ローラ１２２とを有する中間転写型カラープリンタ１として構成することもできる。
【０１６６】
この場合、画像形成動作において、中間転写ベルト１２１は、その上方部分が後方から前方へ向かって移動するように周回移動される。
【０１６７】
そして、感光ドラム１１の表面に担持されたトナー像は、中間転写ベルト１２２の上方部分に一次転写された後、中間転写ベルト１２２の周回移動により、複数の転写ローラ１８の下方を通って前方から後方へ搬送され、駆動ローラ１５と二次転写ローラ１２２との間に供給される。
【０１６８】
一方、用紙Ｐは、給紙トレイ７から後上方へ搬送され、所定のタイミングで、駆動ローラ１５と二次転写ローラ１２２との間に供給される。
【０１６９】
このとき、中間転写ベルト１２２上のトナー像は、用紙Ｐに転写される。そして、用紙Ｐが加熱ローラ１９と加圧ローラ２０との間を通過するときに、用紙Ｐ上のトナー像が用紙Ｐに熱定着される。その後、用紙Ｐは、排紙トレイ８に排紙される。
（４）また、上記した実施形態では、ドラムユニット９が離間位置に移動し、その後、離間位置から引出位置へ移動するときに、シャッタ６０が閉位置に配置されるが、ドラムユニット９を装着位置からわずかに前方へ移動させてシャッタ６０を閉位置に配置させた後に、ドラムユニット９を離間位置に位置させ、その後、離間位置から引出位置へ移動させることもできる。
（５）また、上記した実施形態では、内側板３１は、感光ドラム１１のフランジ部材４２の小径部４４を支持しているが、小径部４４の代わりに、感光ドラム１１の中心に相通されるドラムシャフトを設け、内側板３１は、ドラムシャフトを支持することもできる。
【０１７０】
また、上記した実施形態では、搬送管５２を前後方向に沿って配置しているが、搬送管５２を前後方向に対して傾斜するように配置することもできる。具体的には、搬送管５２を、後端部が前端部よりも下方に配置されるように傾斜させることもできる。
【０１７１】
また、上記した実施形態では、第１搬送部材およぶ第２搬送部材の一例としてオーガスクリューを挙げたが、第１搬送部材およぶ第２搬送部材は、らせん状のばね部材からなるスクリューを適用することもできる。
【０１７２】
また、上記した実施形態では、クリーニング部材の一例として、左右方向に延びる板形状のクリーニングブレード８２を挙げたが、クリーニング部材としては、例えば、左右方向に延びる略円柱形状のクリーニングローラを適用することもできる。
【０１７３】
これらの変形例においても、上記した実施形態と同様の作用効果を得ることができる。
【符号の説明】
【０１７４】
９        ドラムユニット
１１      感光ドラム
３１      内側板
４１      ドラム本体
４２      フランジ部材
４３      大径部
４３  Ａ  ギア部
４４      小径部
４５      ドラムカップリング
５３      接続部
５７      第２スクリュー
６１      シール部材
６２      挿通穴
８０      第１スクリューギア
８１      クリーナフレーム
８２      クリーニングブレード
８３      第１スクリュー
８４      除電部材
Ａ１      曲率中心
Ａ２      回転中心
Ｅ        下端縁
【図１】
2015194650.tif 000003
【図２】
2015194650.tif 000004
【図３】
2015194650.tif 000005
【図４】
2015194650.tif 000006
【図５】
2015194650.tif 000007
【図６】
2015194650.tif 000008
【図７】
2015194650.tif 000009
【図８】
2015194650.tif 000010
【図９】
2015194650.tif 000011
【図１０】
2015194650.tif 000012
【図１１】
2015194650.tif 000013
【図１２】
2015194650.tif 000014
【図１３】
2015194650.tif 000015
【図１４】
2015194650.tif 000016